(57)【要約】  顕微鏡における試料の分析のための方法及び装置が提供される。第１の条件の組を用いて試料表面上の関心領域から分析データを収集する第１のサーベイを実施する。第１の条件の組とは異なる第２の条件の組を用いて、試料表面上の関心領域の選択される部分から付加的な分析データを収集する第２のサーベイを実施する。第１のサーベイからの分析情報データを用いて、第２のサーベイにおけるデータ収集に用いられる部分を選択し、それらが用いられる順序を決定する。【選択図】図１【特許請求の範囲】
【請求項１】
顕微鏡における試料の分析のための方法であって、
第１の条件の組を用いて、前記試料の表面上の関心領域から分析データを収集する第１のサーベイを実施することと、
前記第１の条件の組とは異なる第２の条件の組を用いて、前記試料の表面上の前記関心領域の選択された部分から付加的な分析データを収集する第２のサーベイを実施することと、を含み、
前記第１のサーベイからの前記分析データを用いて、前記第２のサーベイにおけるデータ収集に用いられる前記部分を選択し、それら部分が用いられる順序を決定する、方法。
【請求項２】
前記第１のサーベイからの前記分析情報データを用いて、前記第２のサーベイにおけるデータ収集に用いられる前記関心領域内の位置、及び前記選択された部分についての順序を決定する、請求項１に記載の方法。
【請求項３】
前記第１の条件の組及び前記第１のサーベイ中に収集されるデータは、前記試料上のエリアを前記第２の条件の組の場合よりも迅速にカバーするように選択される、請求項１又は２に記載の方法。
【請求項４】
前記第１の条件の組及び前記第２の条件の組の条件は、倍率、画像分解能、画像滞留時間、グレー・レベル閾値、エネルギー分散型Ｘ線分光設定、及びサーベイ終了条件のいずれかを含む、請求項１〜３のいずれかに記載の方法。
【請求項５】
前記第１の条件の組の倍率は、前記第２の条件の組の倍率より低い、請求項４に記載の方法。
【請求項６】
前記第１の条件の組の画像分解能は、前記第２の条件の組の画像分解能より低い、請求項４又は５に記載の方法。
【請求項７】
前記第１のサーベイは、前記分析データを収集するための前記顕微鏡の第１の検出器に対して前記試料を移動させて、複数のサブ領域の各々が、所定の滞留時間、前記第１の検出器の視野内に連続的に入るようにすることにより、前記関心領域から前記分析データを収集することを含む、請求項１〜６のいずれかに記載の方法。
【請求項８】
前記第２のサーベイは、前記付加的な分析データを収集するための前記顕微鏡の第２の検出器に対して前記試料を移動させて、前記選択された部分の各々が、所定の滞留時間、前記第２の検出器の視野内に連続的に入るようにすることにより、前記選択された部分の各々から前記付加的なデータを収集することを含む、請求項１〜７のいずれかに記載の方法。
【請求項９】
前記第１の条件の組及び前記第２の条件の組は、前記第１のサーベイにおけるサブ領域の数が、前記第２のサーベイにおける前記選択された部分の数より大きくなるように選択される、請求項７及び８に記載の方法。
【請求項１０】
前記第１の条件の組及び前記第２の条件の組は、前記第２のサーベイ中に収集される前記付加的な分析データの確度が、前記第１のサーベイ中に収集される前記分析データの確度を上回るように選択される、請求項７及び８、又は請求項９に記載の方法。
【請求項１１】
前記第１の条件の組及び前記第２の条件の組は、前記第２のサーベイにおける所定の滞留時間が、前記第１のサーベイにおける滞留時間より長くなるように選択される、請求項７及び８、又は請求項９、又は請求項１０に記載の方法。
【請求項１２】
前記滞留時間は、所定の分解能又は信号対ノイズ比で前記付加的な分析データを収集するのに十分に長いものである、請求項８〜１１のいずれかに記載の方法。
【請求項１３】
前記第１の検出器は前記第２の検出器である、請求項８〜１２のいずれかに記載の方法。
【請求項１４】
前記第２のサーベイにおける前記付加的な分析データの収集は、エネルギー分散型Ｘ線分光データを収集することを含む、請求項１〜１３のいずれかに記載の方法。
【請求項１５】
前記第１のサーベイからの前記分析データを用いることは、前記分析データから前記試料上の関心特徴を同定することを含む、請求項１〜１４のいずれかに記載の方法。
【請求項１６】
前記第１のサーベイからの前記分析データを用いることは、前記選択された部分が前記関心特徴の所定の画分を含むように、前記第２のサーベイにおけるデータ収集に用いられる前記部分を選択することをさらに含む、請求項１５に記載の方法。
【請求項１７】
前記関心特徴は、前記試料の表面上に存在する粒子又は他の分離領域である、請求項１５又は１６に記載の方法。
【請求項１８】
前記第１のサーベイからの前記分析データを用いることは、前記選択された部分の各々から前記付加的な分析データを収集する最適な順序を生成することを含む、請求項１〜１７に記載の方法。
【請求項１９】
前記最適な順序は、前記関心特徴のより小さい割合を含む部分から前記付加的な分析データを収集する前に、前記関心特徴のより大きい割合を含む部分から前記付加的な分析データを収集するように生成される、請求項１５に従属するときの請求項１８に記載の方法。
【請求項２０】
前記選択された部分の合計面積は、前記関心領域の面積を下回り、
前記第２のサーベイは、前記選択された部分のみから前記付加的な分析データを収集することを含む、請求項１〜１９に記載の方法。
【請求項２１】
前記第１のサーベイ及び前記第２のサーベイの各々は、粒子ビームを前記試料に指向させ、その結果、前記データを収集するために前記試料から放出されるＸ線又は電子を検出することを含む、請求項１〜２０のいずれかに記載の方法。
【請求項２２】
前記粒子ビームは、電子ビーム又はイオンビームである、請求項２１に記載の方法。
【請求項２３】
前記第１のサーベイ及び前記第２のサーベイの各々においてデータを収集することは、前記試料を表す光学的画像データを収集することを含む、請求項１〜２２のいずれかに記載の方法。
【請求項２４】
前記第１の条件の組及び前記第２の条件の組は、前記第１のサーベイが、前記第２のサーベイで取得される光学画像よりも、低い倍率及び小さい視野を有する光学画像を取得することを含むように選択される、請求項２３に記載の方法。
【請求項２５】
前記第１の条件の組及び前記第２の条件の組は、前記第１のサーベイが、前記第２のサーベイで取得される光学画像よりも迅速に光学画像を取得することを含むように選択される、請求項２３又は２４に記載の方法。
【請求項２６】
前記第１のサーベイからの前記分析データを用いることは、前記分析データから前記試料上の関心特徴を同定することを含み、
前記第１の条件の組及び前記第２の条件の組の各々は、各々のサーベイが終了する終了条件を含み、前記第２の条件の組の終了条件は、付加的な分析データが前記関心特徴の所定の画分から収集されたときに、前記第２のサーベイを終了するように決定される、請求項１〜２５のいずれかに記載の方法。
【請求項２７】
前記第１の条件の組の終了条件は、全関心領域から分析データが収集された後に、前記第１のサーベイが終了するというものであり、前記第１の条件の組における滞留時間、倍率及び分解能は、前記第２の条件の組と同じである、請求項２６に記載の方法。
【請求項２８】
前記第１のサーベイ及び前記第２のサーベイの各々が自動化されており、前記方法は、前記第１のサーベイの後及び前記第２のサーベイの前に実施される決定ステップをさらに含み、前記決定ステップの結果が、前記第２のサーベイにおけるデータ収集に用いられる前記部分の選択、及び、それら部分が用いられる順序の決定に用いられる、請求項１〜２７のいずれかに記載の方法。
【請求項２９】
前記決定ステップは自動化されている、請求項２８に記載の方法。
【請求項３０】
前記決定ステップは、ユーザにより行われる動作を含む、請求項２８に記載の方法。
【請求項３１】
前記方法は、顕微鏡における試料の自動分析のためのものである、請求項１〜２９のいずれかに記載の方法。
【請求項３２】
顕微鏡における試料の分析のための装置であって、前記装置は、
ステージ位置決めのためのプログラム可能な制御装置を含み、
前記装置は、前記試料の表面上の関心領域から収集されたデータを記録及び処理するように構成されており、
前記装置は、
第１の条件の組を用いて前記試料の表面上の関心領域から分析データを収集する第１のサーベイと、
前記第１の条件の組とは異なる第２の条件の組を用いて、前記試料の表面上の関心領域の選択された部分から付加的な分析データを収集する第２のサーベイと、
を含む分析を実施するように構成され、
前記第１のサーベイからの前記分析データを用いて、前記第２のサーベイにおけるデータ収集に用いられる前記部分が選択され、それら部分が用いられる順序が決定される、装置。
【請求項３３】
前記第１の条件の組及び前記第１のサーベイ中に収集されるデータは、前記試料上のエリアを前記第２の条件の組の場合よりも迅速にカバーするように選択される、請求項３２に記載の装置。
【請求項３４】
前記装置は、前記分析データを収集するための第１の検出器を含む顕微鏡を含む、請求項３２又は３３に記載の装置。
【請求項３５】
前記装置は、前記付加的な分析データを収集するための第２の検出器を含む顕微鏡を含む、請求項３２〜３４のいずれかに記載の装置。
【請求項３６】
前記装置は、前記試料上に粒子ビームを指向させるためのデバイスと、粒子ビームの位置決めのためのプログラム可能な制御装置とを含む、請求項３２〜３５のいずれかに記載の装置。
【請求項３７】
前記第１及び第２の検出器の一方又は両方は、前記データを収集するために、前記粒子ビームを前記試料に指向させた結果として生じる、前記試料から放出されるＸ線又は電子を検出するように構成される、請求項３４〜３６に記載の装置。
【請求項３８】
前記第１及び第２の検出器の一方又は両方は、前記試料を表す光学画像データを収集するように構成された光学イメージセンサを含む、請求項３４〜３６、又は請求項３７に記載の装置。
【請求項３９】
前記試料の表面上の関心領域を表すデータは、電子信号データ及び／又はＸ線信号データを含む、請求項３２〜３８のいずれかに記載の装置。
【請求項４０】
前記第２のサーベイの間、決定された前記順序で付加的な分析データを収集するために検出器の視野内に前記試料の表面上の関心領域の前記選択された部分を位置決めするように構成された、前記試料を支持するための移動可能なステージを含む、請求項３２〜３９のいずれかに記載の装置。
【発明の詳細な説明】
【技術分野】
【０００１】
本発明は、顕微鏡における試料の分析のための、特に、試料上の広いエリアをカバーするために、高速の像形成及び低速のステージ移動の組み合わせを含む試料上の粒子分析のための速度及びサンプル処理能力を改善する、方法及び装置に関する。
【背景技術】
【０００２】
合焦電子ビームが試料に衝突するとき、入射した電子で励起された材料を表す信号が生成される。走査型電子顕微鏡では、静電的又は電磁的方法を用いてビームを偏向させることによって、こうした試料表面上の合焦電子ビームの位置を制御することができる。分析制御システムは、一般的には、ビームをグリッド（ｇｒｉｄ）上の一連の点に位置決めする。各点において、１又はそれ以上の信号を測定し、その点に対応する各タイプの信号について得られた値を記録する。規則的な矩形グリッド上で得られる信号の値は、視野からのデジタル画像を形成する。電子ビームは、極めて高速に偏向され得るが、大きな偏向角では歪みが増大するので、電子光学系により、偏向の大きさが制限される。従って、視野が、試料表面上の狭いエリアしかカバーできないことがある。試料表面の広いエリアをカバーしなければならない場合には、試料を支持する試料ステージを移動させることによって、新しい視野をビームの下方に持ってくることができる。従って、ステージ移動とビーム偏向を組み合わせることによって、一連の視野で試料の表面全体をサーベイすることができる。自動粒子分析のための例示的な装置の構成要素を図１に示す。
【０００３】
試料の表面にわたり点のグリッド（ｇｒｉｄ  ｏｆ  ｐｏｉｎｔｓ）を走査する時間は、グリッド内の点の数及び各点における滞留時間（ｄｗｅｌｌ  ｔｉｍｅ）によって決まる。走査型電子顕微鏡において、電子信号は、通常、Ｘ線スペクトル放射のような他の分析信号よりもずっと良好な信号対ノイズ比を有する。このことは、有用な電子信号情報を、Ｘ線又は他の分析データの場合と比べて、点ごとの滞留がずっと短い状態で得ることができることを意味する。試料にわたる高速電子信号走査を用いて、Ｘ線分析のために付加的な時間を費やすだけの価値がある何らかの特徴（例えば、粒子、デブリ、欠陥等）があるかどうかを見つけことができることが周知である（例えば、非特許文献１）。この原理は、「技術的清浄度分析」とも呼ばれ、精密製造において汚染物質粒子を見つけるために用いられる。粒子は、製造部品から脱離して、炭素のような軽元素で作られた基板上に付着する。後方散乱電子検出器（ｂａｃｋｓｃａｔｔｅｒｅｄ  ｅｌｅｃｔｒｏｎ  ｄｅｔｅｃｔｏｒ、ＢＳＥＤ）からの信号は、材料の平均原子番号に対する感度が高く、電子ビームが重元素を含む汚染物質粒子に衝突した場合、信号は強くなる。しかしながら、どの元素が粒子内に存在するかを判定し、汚染物質源を同定するために、Ｘ線分析が依然として必要とされる。点のグリッドにわたり電子ビームを走査し、ＢＳＥＤ信号を観測することにより、全ての点に対して低速のＸ線分析を行って時間を無駄にすることなく、潜在的に関心粒子（ｐａｒｔｉｃｌｅ  ｏｆ  ｉｎｔｅｒｅｓｔ）の位置を迅速に見つけることができる。従って、最も可能性が高い粒子に集中することにより、Ｘ線分析時間を最小限にすることができ、検索プロセス全体が効率的になる。
【０００４】
規則的な点のグリッドにわたりマッピングされた電子信号の強度により、各画素位置における電子信号に対応する値をとる画素の２次元デジタル画像が形成される。画像を数学的に処理し、粒子のような特徴を同定し、個々の粒子の形態（ｍｏｒｐｈｏｌｏｇｙ）を測定し、粒子の数をカウントすることができる。点のグリッドが十分に微細である場合、粒子の形態の測定は、いずれの付加的な分析信号も用いることなく粒子を特徴付けるのに十分に正確なものであり得る。しかしながら、微細なグリッドは、良好な電子信号を得るためにビームが滞留しなければならない多くの点が存在すること、従って、電子ビームの偏向により単一の走査を終えるのにより長い時間がかかることを意味する。
【０００５】
従来の自動粒子分析の方法が、図２により例示される。図２（ａ）は、表面上に多数の粒子が存在する試料を示す。ステージが静止している間、電子ビームは、一般的にラスター走査順で、点のグリッドにわたり連続的に偏向され、小さい視野にわたり電子信号（例えば、後方散乱電子信号、ＢＳＥ）のデジタル画像を収集する。これは、図２（ｂ）に概略的に示される。試料を支持するステージを移動させることにより、試料をＸ及びＹ方向に移動させることができる。従って、電子ビーム・ラスターの位置は、試料表面上の広いエリアをカバーする連続的な視野に当たるように配置することができる。図２（ｃ）において、９つの連続的フィールドが、これらを走査する順序を表記した状態で示される。図２（ｄ）は、各フィールドにおけるラスター走査によりカバーされる粒子を示す。フィールド１が走査されるとき、電子信号を用いて形成されたデジタル画像（図２（ｅ））を処理して個々の粒子の輪郭を見出し、各粒子が関心あるサイズ及び形状のものであるかどうかを判断する。関心粒子の各々について、電子ビームは、粒子上の点上に位置決めされるか、又は、Ｘ線データを取得する間、粒子上の点のグリッドにわたりラスタリングされる（図２（ｆ））。これは、フィールド１で分析される全ての粒子について繰り返される。全ての関心粒子が分析されると、試料ステージが移動され、電子ビーム走査により次の視野に達することができる。プロセスは、９つのフィールド全てをカバーするまで繰り返される。
【０００６】
電子ビームの偏向により走査できる領域は限られており、試料全体を走査するには、粗いグリッドにわたる試料のステージ移動、及びステージ・グリッドの点の間のより微細なグリッド上の電子ビーム偏向の組み合わせが、通常、必要とされる。電子ビーム・グリッドにおける点の数及びステージ・グリッドにおける点の数を最適化して歪みを最小限にし、可能な限り最速の時間で必要とされる確度の「ターゲット」データを提供することができる。それにもかかわらず、付加的な分析測定を行わないとしても、試料の領域全体をカバーするためには、多くのステージ移動、及び電子信号データの多くの点のグリッドの分析を行う場合がある。電子信号の走査後に潜在的に関心粒子が見つからなかった場合には、ステージ移動のための時間及びその点のグリッドにわたり電子ビームを走査する時間が、事実上無駄になる。最悪の場合、試料全体をサーベイする時間が無駄になることもあり、これは、走査すべき多くの試料がある場合には、重要であり得る。本発明の目的は、サンプルのサーベイのための生産性を改善することである。
【先行技術文献】
【非特許文献】
【０００７】
【非特許文献１】Ｌａｓｋｉｎ及びＣｏｗｉｎ、Ａｎａｌ．Ｃｈｅｍ、２００１年、７３、１０２３〜１０２９頁
【発明の概要】
【０００８】
本発明によると、顕微鏡における試料の分析のための方法が提供され、この方法は、
第１の条件の組を用いて、試料表面上の関心領域（ｒｅｇｉｏｎ  ｏｆ  ｉｎｔｅｒｅｓｔ）から分析データを収集する第１のサーベイを実施することと、
第１の条件の組とは異なる第２の条件の組を用いて、試料表面上の関心領域の選択された部分から付加的な分析データを収集する第２のサーベイを実施することと、を含み、
第１のサーベイからの分析情報データを用いて、第２のサーベイにおけるデータ収集に用いられる部分を選択し、それらが用いられる順序を決定する。
【０００９】
本発明者らは、自動粒子分析の多くの用途において、その後の意思決定に必要とされるよりも多くのデータが収集されることを認識している。付加的な時間がかかる、第１の即ち予備のサーベイから始めることにより、「第２の」サーベイにおいて十分なターゲット・データを得るためのより最適な戦略を決定することができるので、予備サーベイ及びターゲット・データ取得のための合計時間は、通常のターゲット・データ取得シーケンスでかかる時間よりもずっと少なくなり得る。付加的な分析データの収集、即ち「ターゲット・データの取得」は、電子ビーム・グリッド、並びに粒子の位置及び形態を測定するために必要とされる確度レベルを与えるステージ位置決めを用いることができ、電子信号及びＸ線信号の取得のための十分な滞留時間を用いて、必要とされる分析の確度レベルを与えることができる。一般的に、試料の全エリアをカバーする第１のサーベイ、即ち「予備サーベイ」は、試料上の粒子についての予備統計データを得るための速度を上げるために、確度については妥協を伴うことも、伴わないこともある。
【００１０】
従来の手法は、試料上の全てのフィールド内の粒子に対するＸ線分析の実行に時間を費やす。電子信号のみを用いる予備サーベイを用いることにより、例えば、サンプルの全体にわたる全フィールドに対して、粒子カウント及び粒子密度が、極めて迅速に求められる。次に、予備サーベイの走査から得られる統計データを用いて、Ｘ線データの収集を最適化し、最短時間で要件を満たすことができる。
【００１１】
幾つかの実施形態において、第１のサーベイからの分析情報データを用いて、第２のサーベイにおけるデータ収集に用いられる関心領域内の位置、及び選択された部分についての順序を決定する。従って、関心領域を表すことができ、且つ第１のサーベイにおいて監視された又は像形成されたような、そこでの関心特徴（ｆｅａｔｕｒｅ  ｏｆ  ｉｎｔｅｒｅｓｔ）の分布の指標を含み得る分析データを用いて、第２のサーベイの戦略を最適化することができる。この分布に基づいて、第２のサーベイにおいて用いられる領域の部分を選択することができる。さらに、一般的に、第１の即ち予備サーベイにおいて収集された監視された特徴の分布を含む分析データに従って、領域の部分への分割、又は第２のサーベイにおいて走査されるこれらの部分のサイズ、位置、若しくは形状に関する決定を行うことができる。
【００１２】
一般的な実施において、第２のサーベイで用いられる領域の部分の位置を記録することが必要である場合があり、なぜならこれらの「実行フィールド（ｒｕｎ  ｆｉｅｌｄ）」は、必ずしも、第１のサーベイでサーベイされた関心領域のサブ領域であるサーベイフィールドと位置合わせされず、同じサイズでなく、又は隣接していないことがあるからである。第２のサーベイで用いられる部分の選択は、必ずしも、これらの部分の位置を取得することを要せず、それはむしろ、その位置が既に決定されている若しくはこの段階でその位置が必ずしも選択されていない部分の選択及び順序に対する決定とすることができる。
【００１３】
サーベイ・エリアに関して、関心領域の画像を記録し、それにより第１のサーベイの実施を構成することもでき、次に、この画像を、それに対して将来の実行又は第２のサーベイを実施できるようにサーベイ走査アルゴリズムで処理することも想定される。
【００１４】
幾つかの実施形態において、第１の条件の組及び第１のサーベイ中に収集されるデータは、試料上のエリアを第２の条件の組の場合よりも迅速にカバーするように選択される。言い換えれば、こうした実施形態において、第１のサーベイの条件は、関心領域のエリアをカバーする速度が、第１のサーベイにおいて第２のサーベイよりも高くなるように構成することができる。こうした手法の利点は、方法全体の時間効率をさらに改善する一方で、第２のサーベイに適用される戦略を、第２のサーベイにより優先すべき又は優先的にカバーすべき特徴又はその特徴を含むサーベイフィールドに従って最適化することを可能にする有用な情報を依然として第１のサーベイから提供する。第１のサーベイにおける付加的な速度は、第２のサーベイに対して、第１のサーベイの精度、確度、又は分解能を妥協する又は低下させることにより、達成することができる。例えば、第１のサーベイは、各サブ領域に滞留する時間をより短くして、より低い品質の画像を生成することを伴うことがあり、又は第１のサーベイで用いられるサブ領域を、第２のサーベイのために領域が細分される部分よりも大きく、従ってより少なくすることを伴うことがある。
【００１５】
第１の条件の組及び第２の条件の組の条件は、倍率、画像分解能、画像滞留時間、グレー・レベル閾値、エネルギー分散型Ｘ線分光設定、及びサーベイ終了条件のいずれかを含むことができる。第１のサーベイ及び第２のサーベイにおいてこれらの条件をそれぞれ調整して、第１の条件の組は、第２のサーベイで用いられる分析データの提供を容易にし、第２の条件の組は、関心特徴上の付加的な、より精密な、又はより詳細なデータを収集するための最適化された戦略をもたらすようにすることは、こうした実施形態により与えられる利点である。
【００１６】
例えば、第１の条件の組の倍率は、第２の条件の組の倍率より低くすることができる。第１の条件の組の画像分解能は、第２の条件の組の画像分解能より低くすることができる。
【００１７】
一般的に、第１のサーベイは、試料を、分析データを収集するための顕微鏡の第１の検出器に対して移動させて、複数のサブ領域の各々が、所定の滞留時間、第１の検出器の視野内に連続的に入るようにすることにより、関心領域から分析データを収集することを含む。第２のサーベイは、試料を、付加的な分析データを収集するための顕微鏡の第２の検出器に対して移動させて、選択される部分の各々が、所定の滞留時間、第２の検出器の視野内に連続的に入るようにすることにより、選択される部分の各々から付加的なデータを収集することを含むことができる。従って、この方法のサーベイの各々は、各サーベイにおいて、検出器を用いて領域を部分ごとに順に観測する信号収集により領域が像形成又は監視されるように、検出器を試料に対して移動させること、又はその逆を含むことができる。第１のサーベイのサブ領域は、一般に合計すると関心領域全体となる場合もあり、又はサブ領域間の重なりのために合計するとより大きくなる場合もあるが、第２のサーベイに用いられる部分は、第１のサーベイで用いられたサブ領域のサブセットを含むこと、又は異なる条件を用いて測定されたサブ領域の全てを含むこと、又は第１のサーベイのサブ領域とはサイズ、位置、形状及び走査順序が異なる部分を含むことができる。
【００１８】
幾つかの実施形態において、第１の条件の組及び第２の条件の組は、第１のサーベイにおけるサブ領域の数が、第２のサーベイにおける選択される部分の数より大きくなるように選択される。
【００１９】
このように、第２のサーベイは、第１のサーベイによりカバーされる選択される部分の幾つかにわたり実施することができる。フィールドの重なりが用いられず、第２のサーベイが、関心領域全体をカバーする前に終了するのではなく、完了まで進行することが供される実施形態においては、第２のサーベイは、第１の走査と同じフィールド数を含むことができる。
【００２０】
第１の条件の組及び第２の条件の組は、第２のサーベイ中に収集される付加的な分析データの確度が、第１のサーベイ中に収集される分析データの確度を上回るように選択することができる。第１のサーベイ及び第２のサーベイに適用される第１の条件の組及び第２の条件の組は、第２のサーベイにおけるエネルギー分散型Ｘ線分光（ＥＤＳ）データの付加的な収集を除いて、同じとすることができる。従って、この情報の付加は、第２のサーベイで収集されるデータの確度を向上させ得る。
【００２１】
上述のように、第１の条件の組及び第２の条件の組は、第２のサーベイにおける画像滞留時間が、第１のサーベイにおける滞留時間より長くなるように選択することができる。滞留時間は、所定の分解能又は信号対ノイズ比で付加的な分析データを収集するのに、十分に長くなるように構成することができる。一般的に、この方法で用いるために、特定の信号対ノイズ比を設定しなくても又は予め定めなくてもよい。しかしながら、画像分解能及び滞留時間を予め定めることもできる。幾つかの実施形態においては、信号対ノイズ比の決定は、ユーザ又はオペレータによる定性的判断として行うことができる。
【００２２】
幾つかの実施形態において、第１の検出器は、第２の検出器と同じ１つのものとすることができる。従って、第１のサーベイは、第２のサーベイと同じタイプのデータを収集すること、又は同じタイプの信号を監視することができる。代替的に、第１の検出器は、第２の検出器とは別個のものにすること、及び異なるタイプのものにすることができる。例えば、第２の検出器は、付加的なＥＤＳ信号収集能力を有することができ、上述のように、第２のサーベイにおける付加的な分析データの収集は、エネルギー分散型Ｘ線分光データを収集することを含むことができる。
【００２３】
一般的に、第１のサーベイからの分析データを用いることは、分析データから試料上の関心特徴を同定することを含む。第１のサーベイからの分析データを用いることは、選択される部分が関心特徴の所定の画分（ｆｒａｃｔｉｏｎ）の部分を含むように、第２のサーベイにおけるデータ収集に用いられる部分を選択することをさらに含むことができる。このように、所定の閾値又は割合の関心特徴から付加的な分析データを収集するために第２のサーベイによりカバーされる必要のある領域がより小さい部分になるように、第２のサーベイを実施するための戦略を最適化することができる。一般的に、これらの関心特徴は、試料の表面上に存在する粒子又は他の分離又は不連続領域である。
【００２４】
幾つかの実施形態において、第１のサーベイからの分析データを用いることは、選択される部分の各々から付加的な分析データを収集する最適な順序を生成することを含む。例えば、より多くの数の又はより高い密度の関心特徴を含む領域の部分が最初にカバーされるように、第２のサーベイにおける順序、又は第２の検出器が領域に対して移動される経路若しくはルートを選択又は生成することができる。例えば、検出器は、順序を前倒しすることができ、第２のサーベイのための選択される部分は、それぞれの部分内に含まれる関心特徴の降順で走査される。
【００２５】
従って、関心特徴のより小さい割合を含む部分から付加的な分析データを収集する前に、関心特徴のより大きい割合を含む部分から付加的なデータを収集するように、最適な順序を生成することができる。幾つかの実施形態において、選択される部分の合計面積は、関心領域の面積を下回ってもよく、第２のサーベイは、選択される部分のみから付加的な分析データを収集することを含むことができる。こうした限定された選択を選んで第２のサーベイでカバーすることは、第２のサーベイで収集される関心特徴に関連したデータの量又は品質に対する影響を最小にする一方で、方法の時間効率をさらに改善することに役立ち得る。
【００２６】
第２の走査つまり第２のサーベイが、第１の走査つまり第１のサーベイと同じエリアをカバーするように完了まで進行することが許容される実施形態が存在し得ることが想定される。これは、ある程度、予備の即ち第１のサーベイを実施する趣旨を否定し得るものであるが、こうした実施形態において、ユーザ又はオペレータは、実行即ち第２のサーベイを注視し又は監視し、そこで関心領域又は特徴のいずれかの十分な部分又はエリアが分析された又はそこから代表データが収集されたと判断したとき、第２のサーベイを手動で終了することができる。
【００２７】
一般的に、第１及び第２のサーベイの各々は、データを収集するために、粒子ビームを試料に指向させ、結果として生じる試料から放出されたＸ線又は電子を検出することを含む。粒子ビームは一般的に、電子ビーム又はイオンビームとすることができる。
【００２８】
幾つかの実施形態において、第１及び第２のサーベイの各々においてデータを収集することは、試料を表す光学画像データを収集することを含む。例えば、画像内で関心特徴を同定する又は見つけることができるように、光学画像を取得することができ、例えば、第２のサーベイは、それらの特徴を含む領域の部分をターゲットにすることができる。効率をさらに向上させるために、第１のサーベイが、第２のサーベイで取得される光学画像よりも、低い倍率及び小さい視野を有する光学画像を取得することを含むように、第１の条件の組及び第２の条件の組を選択することができる。第１及び第２のサーベイにおいて光学画像データを収集することを含む実施形態において、第１のサーベイが、第２のサーベイで取得される光学画像よりも迅速に光学画像を取得することを含むように、第１の条件の組及び第２の条件の組を選択することができる。
【００２９】
上述のように、第１のサーベイからの分析データを用いることは、分析データからの試料上の関心特徴を同定することを含むことができる。こうした実施形態において、第１の条件の組及び第２の条件の組の各々は、これに従って各々のサーベイが終了する終了条件を含むことができ、第２の条件の組の終了条件は、付加的な分析データが関心特徴の所定の画分から収集されたときに、第２のサーベイを終了するように決定することができる。第２のサーベイのみにおけるこうした終了条件の存在、又はサーベイの各々についての異なる終了条件の選択は、第１及び第２のサーベイの条件における唯一の差を構成することができる、又は複数の異なる条件のものとすることができる。一般的に、関心領域のエリアのカバーに関して、終了条件は、第２の条件の組におけるよりも、第１の条件の組おいて遅く設定される。
【００３０】
上述のように、選択される条件によっては、第１のサーベイは、第２のサーベイよりも時間がかからないこともあり得る。幾つかの実施形態において、第１の条件の組及び第２の条件の組は、終了条件の差以外は、同様であり得る。場合によっては、ユーザは、画像滞留時間、倍率、及び分解能のような同じ条件を用いるように選択することができるので、第１のサーベイにおいて第２のサーベイにおけるのと同じ数の特徴が測定されることが合理的に期待され得る。これは、関心特徴の総数の指定された又は所定の部分が分析されたときに第２の走査を停止するための終了条件を使用することを意図する場合である。しかしながら、例えば、サーベイフィールドの縁部の近くに位置する粒子を処理するために、フィールド重複が第２の走査に適用される場合、第１の走査において画像の重複は用いられないはずであり、従って、他の点では同一の第１の条件の組と第２の条件の組との間のさらなる差を構成する。
【００３１】
幾つかの実施形態において、第１の条件の組の終了条件は、全関心領域から分析データが収集された後に、第１のサーベイが終了するというものであり、滞留時間、倍率及び分解能は、第１の条件の組において、第２の条件の組におけるものと同じである。
【００３２】
一般的に、方法全体が自動化される。つまり、サーベイ・アルゴリズムを用いて、適用される第１の条件の組及び第２の条件の組で第１及び第２のサーベイを実施することができ、ユーザの介入は必要としない。第１及び第２のサーベイの各々が自動化されるように、方法を実施することもでき、方法は、第１のサーベイの後及び第２のサーベイの前に実施される決定ステップをさらに含み、決定ステップの結果は、第２のサーベイにおけるデータ収集に用いられる部分の選択、及び、それらが用いられる順序の決定に用いられる。こうした実施形態において、決定ステップは、この場合も、この段階におけるユーザ介入の必要性を減らす又は除去するように、随意的に自動化することができる。代替的に、決定ステップは、ユーザにより実行される動作を含むことができる。例えば、幾つかの実施形態において、ユーザが、第２のサーベイが実施される前に、第１のサーベイにおいて収集された分析データを検討することを可能にするように、又はユーザの要求に基づいて、完全な第２のサーベイを実施するかどうか及び最適化された順序を適用するかどうかに関する決定を行う、潜在的にそれぞれの設定を有するように予め構成し、自動化することができる決定プロセスを含ませるように、方法を第１のサーベイと第２のサーベイとの間で一時停止することが望ましい。
【００３３】
幾つかの実施形態において、決定ステップは自動化され、幾つかの実施形態において、決定ステップは、ユーザにより実行される動作を含むことができる。この動作は、第２のサーベイが、第１のサーベイから収集されたデータの検査に基づいて実施されるとの確認、又は第２のサーベイに適用されるパラメータ又は条件の入力を含むことができる。
【００３４】
一般的に、方法は、顕微鏡における自動化された試料の分析のためのものである。言い換えれば、サーベイの走査は、一般的に、完全に自動化された方法で実施され、そこで第２のサーベイの全実行は、第１のサーベイの完了時に開始される。
【００３５】
本発明によると、顕微鏡における試料の分析のための装置も提供され、この装置は、ステージ位置決めのためのプログラム可能な制御装置を含み、
この装置は、試料表面上の関心領域から収集されたデータを記録及び処理するように構成され、
この装置は、
第１の条件の組を用いて試料表面上の関心領域から分析データを収集する第１のサーベイと、
第１の条件の組とは異なる第２の条件の組を用いて、試料表面上の関心領域の選択される部分から付加的な分析データを収集する第２のサーベイと、
を含む分析を実施するように構成され、
第１のサーベイからの分析情報データを用いて、第２のサーベイにおけるデータ収集に用いられる部分を選択し、それらが用いられる順序を決定する。
【００３６】
第１の条件の組及び第１のサーベイ中に収集されたデータは、第２の条件の組におけるよりも試料上のエリアを迅速にカバーするように選択することができる。装置は、一般的に、分析データを収集するための第１の検出器を備える顕微鏡を含む。装置は、一般的に、付加的な分析データを収集するための第２の検出器を備える顕微鏡を含む。
【００３７】
装置は、試料上に粒子ビームを指向させるためのデバイスと、粒子ビームの位置決めのためのプログラム可能な制御装置とを含むことができる。
【００３８】
第１及び第２の検出器の一方又は両方は、データを収集するために、粒子ビームを試料に指向させた結果として生じる、試料から放出されるＸ線又は電子を検出するように構成することができる。代替的に又はこれに加えて、第１及び第２の検出器の一方又は両方は、試料を表す光学画像データを収集するように構成された光学イメージセンサを含む。
【００３９】
第１及び第２の検出器の一方又は両方は、電子検出器又はＸ線検出器を含むことができ、試料表面上の関心領域を表すデータは、電子信号データ及び／又はＸ線信号データを含む。
【００４０】
述のように、分析は、一般的に、試料のサブ領域又は部分を検出器の視野に連続的に持ってくるように試料を検出器に対して移動させて、分析データ又は付加的な分析データを収集することを含む。従って、装置は、第２のサーベイの間、決定された順序で付加的な分析データを収集するために検出器の視野内に試料表面上の関心領域の選択された部分を位置決めするように構成された、試料を支持するための可動ステージを含むことができる。
【図面の簡単な説明】
【００４１】
【図１】自動粒子分析のために必要とされる構成要素を概略的に示す。
【図２】電子顕微鏡を走査する際の粒子分析のための従来の手法を概略的に示す。
【図３】本発明によるより大きい連続的視野でカバーされた試料エリアを示す。
【図４】ステージ上に搭載する前に回転された図２の試料を示す。
【発明を実施するための形態】
【００４２】
一実施形態において、最初に全フィールドをターゲット分解能で走査し、電子信号データのみを得る（「予備サーベイ（ｐｒｅｌｉｍｉｎａｒｙ  ｓｕｒｖｅｙ）」）。各フィールドについての粒子の形状及び数を判定して、関心粒子の総数を見出す。Ｘ線データは、通常は、あらゆる関心粒子から収集される。しかしながら、要件が、表面上に存在する全ての関心粒子の特定の割合のみについてのＸ線データを取得することである場合、存在する粒子の総数の知見があれば、特定の割合が分析されたときにＸ線データの収集を停止することができ、従って、不要なＸ線データを収集する時間を節約することが可能である。好ましくは、より多くの数の粒子を含むフィールドを最初に巡視すれば、ステージ移動の数を最小限にすることができる。例えば、図２（ｄ）において、フィールド９及び１内の粒子についてのＸ線データを取得するように、ステージを位置決めすることで、ステージを何れかの他の位置に戻すことなく、試料上に存在する全粒子の高い割合をカバーするのに十分なデータが与えられる。
【００４３】
第２の実施形態において、予備サーベイ条件は、通常、ターゲット・データを収集するのに必要とされるよりもずっと迅速に試料エリアをカバーするように選択され、これは、必然的に確度のある程度の損失を伴う。例えば、電子ビーム・グリッドが試料上のより広いエリアをカバーする場合、より幾何学的歪みはより大きくなり、グリッドの分解能が粗くなり得るが、試料の全てにわたる点をカバーするのに必要なステージ移動はより少なくなる。図３は、図２の場合と同じ試料を示すが、より大きい電子ビーム偏向を用いてより広いフィールドが走査されるので、連続的なフィールドで全エリアをカバーするのに、４回のステージ移動しか必要としない。電子偏向は、機械的なステージ移動よりもずっと迅速であるため、図２（ｄ）のように９回のステージ移動を必要とするときよりもずっと迅速に、試料の全エリアをカバーする電子画像を取得することができる。
【００４４】
予備サーベイにおいて電子ビーム・グリッドがより粗い場合、特徴寸法の確度は低下し、幾つかの非常に小さい特徴が完全に見逃されることがある。さらに、点ごとの電子ビームの滞留が短くなり、信号に対するノイズが増大し、走査位置決めの確度が低下することもある。しかしながら、予備走査のための時間を短くするためのこれらの技術は、ターゲット・データに対して必要とされるよりも確度を低下させるものの、依然として、ターゲット・データ収集のための戦略を最適化するのに適切な粒子の数及び形態の統計的概要を収集することが可能である。従って、条件を変えることにより、必要とされる確度のターゲット・データを収集するのに必要な条件下で電子信号データを記録するのにかかる時間のごく一部で試料全体にわたる何らかのデータを収集することが可能である。試料の予備サーベイから得られるデータをここで用いて、ターゲット・データ収集の戦略を最適化する。関心粒子が特定のエリア内にない場合、このエリア内いずれの視野についても必要な確度のターゲット・データを収集しないことにより、時間を節約することができる（例えば、図２のフィールド３）。試料上のどこにも関心粒子がない場合、この試料において必要な確度のターゲット・データを収集するいかなる時間も費やす必要がない。目的が、特定のサイズ又は形状の多くの粒子から代表的なデータを収集することである場合、予備サーベイは、適切な粒子の数が非常に少ない領域を走査する時間を無駄にすることなく、最も多くの数の適切な粒子を与える、ターゲット・データを収集すべき場所を示すことができる。Ｘ線データが収集されない場合でも、試料全体にわたる迅速な予備走査は、粒子の形態の測定の確度については妥協している可能性があるが、依然として有利である。予備走査からの統計的データにより、ターゲット分解能でデータを収集するためのフィールドの最良の順序付けを決定し、十分に高い割合の粒子が正確に測定されるや否や、ターゲット・データの取得を停止することができる。
【００４５】
清浄度用途においては、第１の電子ビーム機器上のサンプルを試験した後、異なる位置において第２の機器を用いて同じサンプルからの結果を確認することが必要な場合がある。サンプルが第２の機器に移送されるとき、サンプルの配向及び相対位置決めを再現することは不可能である。図４は、図２のサンプルが、ステージ上に搭載される前に予期しない回転を受けた例を示す。定型的なターゲット・データ取得シーケンスが用いられた場合、フィールド１及び２は、いかなる関心粒子も含まないことになる。しかしながら、予備サーベイを用いて、関心粒子の空間密度を求めて、粒子密度の逆順でステージをフィールドに移動させるようにターゲット・データ取得を編成した場合（例えば、図２のフィールド９、１及び図４のフィールド６、４）、サンプルの配向及び位置決めが不確かであっても、要求されるサーベイがより迅速に完了されるだけでなく、両方の機器上で、粒子密度により順序付けられる同様の領域が検査される。従って、清浄度評価の効率及び一貫性の両方が改善される。
【００４６】
従って、走査型電子顕微鏡における試料のサーベイを最適化して、形態データ及び必要とされる確度の分析データの収集に必要な時間を最小限にできることが知られているが、本発明は、付加的な予備サーベイの結果を用いて、必要とされる確度のターゲット・データを得るための戦略を変更することによって、生産性を改善することができる。
【００４７】
本発明を、入射電子ビーム、電子信号及びＸ線分析によるイメージングを参照して説明してきたが、同じ原理が、同じく電子信号を生成する合焦入射イオンビーム、及びＸ線の代わりに陰極ルミネセンス、オージェ又は低損失後方散乱電子などに由来する入射ビームによって誘導される任意の分析信号にも適用される。以下の特許請求の範囲は、これらの代案も特許請求するように意図される。本発明は、制限された視野にわたって画像データを迅速に取得することができ、広いエリアを調査できるように試料を移動させるために試料のステージ移動を必要とする、あらゆる機器に適用することができる。制限された視野を有し、試料表面の新しい部分を視野内に持ってくるためにステージの移動を必要とする顕微鏡により光学画像を取得するシステムにおいて、各光学画像に対して、低倍率、広い視野を用いる迅速な予備走査を用いて、粒子を検出及び測定し、その結果を用いて、異なるステージ位置において大きい倍率でデータを収集するように戦略を最適化することができる。制限された視野を有する迅速な像形成方法で粒子を検出することができるが、同じ視野を収集するのにより長い取得時間を必要とする分析データが必要である場合、予備走査を用いて、各視野においてより低速の分析データを収集するための戦略を最適化することができる。全ての波長を用いる光学画像を迅速に得ることができる一方で、同じ視野からの付加的な分析情報を与えるフィルタリングされた光学画像がずっと低速である場合、予備走査を用いて、粒子に関する分析情報のデータ収集を最適化することができる。
【図１】
2019522180.tif 000002
【図２（ａ）】
2019522180.tif 000003
【図２（ｂ）】
2019522180.tif 000004
【図２（ｃ）】
2019522180.tif 000005
【図２（ｄ）】
2019522180.tif 000006
【図２（ｅ）】
2019522180.tif 000007
【図２（ｆ）】
2019522180.tif 000008
【図３】
2019522180.tif 000009
【図４（ａ）】
2019522180.tif 000010
【図４（ｂ）】
2019522180.tif 000011
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
顕微鏡における試料の分析のための方法であって、
第１の条件の組を用いて、前記試料の表面上の関心領域から分析データを収集する第１のサーベイを実施することと、
前記第１の条件の組とは異なる第２の条件の組を用いて、前記試料の表面上の前記関心領域の選択された部分から付加的な分析データを収集する第２のサーベイを実施することと、を含み、
前記第１のサーベイからの前記分析データを用いて、前記第２のサーベイにおけるデータ収集に用いられる前記部分を選択し、それら部分が用いられる順序を決定し、
前記第１のサーベイからの前記分析データを用いることは、
前記分析データから前記試料上の関心特徴を同定することと、
前記関心特徴のより小さい割合を含む部分から前記付加的な分析データを収集する前に、前記関心特徴のより大きい割合を含む部分から前記付加的な分析データを収集するように、前記選択された部分の各々から前記付加的な分析データを収集する最適な順序を生成すること、を含む、方法。
【請求項２】
前記第１のサーベイからの前記分析情報データを用いて、前記第２のサーベイにおけるデータ収集に用いられる前記関心領域内の位置、及び前記選択された部分についての順序を決定する、請求項１に記載の方法。
【請求項３】
前記第１の条件の組及び前記第１のサーベイ中に収集されるデータは、前記試料上のエリアを前記第２の条件の組の場合よりも迅速にカバーするように選択される、請求項１又は２に記載の方法。
【請求項４】
前記第１の条件の組及び前記第２の条件の組の条件は、倍率、画像分解能、画像滞留時間、グレー・レベル閾値、エネルギー分散型Ｘ線分光設定、及びサーベイ終了条件のいずれかを含む、請求項１〜３のいずれかに記載の方法。
【請求項５】
前記第１のサーベイは、前記分析データを収集するための前記顕微鏡の第１の検出器に対して前記試料を移動させて、複数のサブ領域の各々が、所定の滞留時間、前記第１の検出器の視野内に連続的に入るようにすることにより、前記関心領域から前記分析データを収集することを含む、請求項１〜４のいずれかに記載の方法。
【請求項６】
前記第２のサーベイは、前記付加的な分析データを収集するための前記顕微鏡の第２の検出器に対して前記試料を移動させて、前記選択された部分の各々が、所定の滞留時間、前記第２の検出器の視野内に連続的に入るようにすることにより、前記選択された部分の各々から前記付加的なデータを収集することを含む、請求項１〜５のいずれかに記載の方法。
【請求項７】
前記第２のサーベイにおける前記付加的な分析データの収集は、エネルギー分散型Ｘ線分光データを収集することを含む、請求項１〜６のいずれかに記載の方法。
【請求項８】
前記第１のサーベイからの前記分析データを用いることは、前記選択された部分が前記関心特徴の所定の画分を含むように、前記第２のサーベイにおけるデータ収集に用いられる前記部分を選択することをさらに含み、前記関心特徴は、前記試料の表面上に存在する粒子又は他の分離領域である、請求項１に記載の方法。
【請求項９】
前記第１のサーベイ及び前記第２のサーベイの各々は、粒子ビームを前記試料に指向させ、その結果、前記データを収集するために前記試料から放出されるＸ線又は電子を検出することを含む、請求項１〜８のいずれかに記載の方法。
【請求項１０】
前記第１のサーベイからの前記分析データを用いることは、前記分析データから前記試料上の関心特徴を同定することを含み、
前記第１の条件の組及び前記第２の条件の組の各々は、各々のサーベイが終了する終了条件を含み、前記第２の条件の組の終了条件は、付加的な分析データが前記関心特徴の所定の画分から収集されたときに、前記第２のサーベイを終了するように決定される、請求項１〜９のいずれかに記載の方法。
【請求項１１】
前記第１の条件の組の終了条件は、全関心領域から分析データが収集された後に、前記第１のサーベイが終了するというものであり、前記第１の条件の組における滞留時間、倍率及び分解能は、前記第２の条件の組と同じである、請求項１０に記載の方法。
【請求項１２】
顕微鏡における試料の分析のための装置であって、前記装置は、
ステージ位置決めのためのプログラム可能な制御装置を含み、
前記装置は、前記試料の表面上の関心領域から収集されたデータを記録及び処理するように構成されており、
前記装置は、
第１の条件の組を用いて前記試料の表面上の関心領域から分析データを収集する第１のサーベイと、
前記第１の条件の組とは異なる第２の条件の組を用いて、前記試料の表面上の関心領域の選択された部分から付加的な分析データを収集する第２のサーベイと、
を含む分析を実施するように構成され、
前記第１のサーベイからの前記分析データを用いて、前記第２のサーベイにおけるデータ収集に用いられる前記部分が選択され、それら部分が用いられる順序が決定され、
前記第１のサーベイからの前記分析データを用いることは、
前記分析データから前記試料上の関心特徴を同定することと、
前記関心特徴のより小さい割合を含む部分から前記付加的な分析データを収集する前に、前記関心特徴のより大きい割合を含む部分から前記付加的な分析データを収集するように、前記選択された部分の各々から前記付加的な分析データを収集する最適な順序を生成すること、を含む、装置。
【請求項１３】
前記装置は、前記分析データを収集するための第１の検出器を含む顕微鏡を含む、請求項１２に記載の装置。
【請求項１４】
前記装置は、前記試料上に粒子ビームを指向させるためのデバイスと、粒子ビームの位置決めのためのプログラム可能な制御装置とを含む、請求項１２又は１３に記載の装置。
【請求項１５】
前記第１及び第２の検出器の一方又は両方は、前記データを収集するために、前記粒子ビームを前記試料に指向させた結果として生じる、前記試料から放出されるＸ線又は電子を検出するように構成され、前記第１及び第２の検出器の一方又は両方は、前記試料を表す光学画像データを収集するように構成された光学イメージセンサを含む、請求項１２〜１４に記載の装置。
【手続補正２】
【補正対象書類名】明細書
【補正対象項目名】００４７
【補正方法】変更
【補正の内容】
【００４７】
本発明を、入射電子ビーム、電子信号及びＸ線分析によるイメージングを参照して説明してきたが、同じ原理が、同じく電子信号を生成する合焦入射イオンビーム、及びＸ線の代わりに陰極ルミネセンス、オージェ又は低損失後方散乱電子などに由来する入射ビームによって誘導される任意の分析信号にも適用される。以下の特許請求の範囲は、これらの代案も特許請求するように意図される。本発明は、制限された視野にわたって画像データを迅速に取得することができ、広いエリアを調査できるように試料を移動させるために試料のステージ移動を必要とする、あらゆる機器に適用することができる。制限された視野を有し、試料表面の新しい部分を視野内に持ってくるためにステージの移動を必要とする顕微鏡により光学画像を取得するシステムにおいて、各光学画像に対して、低倍率、広い視野を用いる迅速な予備走査を用いて、粒子を検出及び測定し、その結果を用いて、異なるステージ位置において大きい倍率でデータを収集するように戦略を最適化することができる。制限された視野を有する迅速な像形成方法で粒子を検出することができるが、同じ視野を収集するのにより長い取得時間を必要とする分析データが必要である場合、予備走査を用いて、各視野においてより低速の分析データを収集するための戦略を最適化することができる。全ての波長を用いる光学画像を迅速に得ることができる一方で、同じ視野からの付加的な分析情報を与えるフィルタリングされた光学画像がずっと低速である場合、予備走査を用いて、粒子に関する分析情報のデータ収集を最適化することができる。
以下に本発明の実施態様を記載する。
（実施態様１）顕微鏡における試料の分析のための方法であって、
第１の条件の組を用いて、前記試料の表面上の関心領域から分析データを収集する第１のサーベイを実施することと、
前記第１の条件の組とは異なる第２の条件の組を用いて、前記試料の表面上の前記関心領域の選択された部分から付加的な分析データを収集する第２のサーベイを実施することと、を含み、
前記第１のサーベイからの前記分析データを用いて、前記第２のサーベイにおけるデータ収集に用いられる前記部分を選択し、それら部分が用いられる順序を決定する、方法。
（実施態様２）前記第１のサーベイからの前記分析情報データを用いて、前記第２のサーベイにおけるデータ収集に用いられる前記関心領域内の位置、及び前記選択された部分についての順序を決定する、実施態様１に記載の方法。
（実施態様３）前記第１の条件の組及び前記第１のサーベイ中に収集されるデータは、前記試料上のエリアを前記第２の条件の組の場合よりも迅速にカバーするように選択される、実施態様１又は２に記載の方法。
（実施態様４）前記第１の条件の組及び前記第２の条件の組の条件は、倍率、画像分解能、画像滞留時間、グレー・レベル閾値、エネルギー分散型Ｘ線分光設定、及びサーベイ終了条件のいずれかを含む、実施態様１〜３のいずれかに記載の方法。
（実施態様５）前記第１の条件の組の倍率は、前記第２の条件の組の倍率より低い、実施態様４に記載の方法。
（実施態様６）前記第１の条件の組の画像分解能は、前記第２の条件の組の画像分解能より低い、実施態様４又は５に記載の方法。
（実施態様７）前記第１のサーベイは、前記分析データを収集するための前記顕微鏡の第１の検出器に対して前記試料を移動させて、複数のサブ領域の各々が、所定の滞留時間、前記第１の検出器の視野内に連続的に入るようにすることにより、前記関心領域から前記分析データを収集することを含む、実施態様１〜６のいずれかに記載の方法。
（実施態様８）前記第２のサーベイは、前記付加的な分析データを収集するための前記顕微鏡の第２の検出器に対して前記試料を移動させて、前記選択された部分の各々が、所定の滞留時間、前記第２の検出器の視野内に連続的に入るようにすることにより、前記選択された部分の各々から前記付加的なデータを収集することを含む、実施態様１〜７のいずれかに記載の方法。
（実施態様９）前記第１の条件の組及び前記第２の条件の組は、前記第１のサーベイにおけるサブ領域の数が、前記第２のサーベイにおける前記選択された部分の数より大きくなるように選択される、実施態様７及び８に記載の方法。
（実施態様１０）前記第１の条件の組及び前記第２の条件の組は、前記第２のサーベイ中に収集される前記付加的な分析データの確度が、前記第１のサーベイ中に収集される前記分析データの確度を上回るように選択される、実施態様７及び８、又は実施態様９に記載の方法。
（実施態様１１）前記第１の条件の組及び前記第２の条件の組は、前記第２のサーベイにおける所定の滞留時間が、前記第１のサーベイにおける滞留時間より長くなるように選択される、実施態様７及び８、又は実施態様９、又は実施態様１０に記載の方法。
（実施態様１２）前記滞留時間は、所定の分解能又は信号対ノイズ比で前記付加的な分析データを収集するのに十分に長いものである、実施態様８〜１１のいずれかに記載の方法。
（実施態様１３）前記第１の検出器は前記第２の検出器である、実施態様８〜１２のいずれかに記載の方法。
（実施態様１４）前記第２のサーベイにおける前記付加的な分析データの収集は、エネルギー分散型Ｘ線分光データを収集することを含む、実施態様１〜１３のいずれかに記載の方法。
（実施態様１５）前記第１のサーベイからの前記分析データを用いることは、前記分析データから前記試料上の関心特徴を同定することを含む、実施態様１〜１４のいずれかに記載の方法。
（実施態様１６）前記第１のサーベイからの前記分析データを用いることは、前記選択された部分が前記関心特徴の所定の画分を含むように、前記第２のサーベイにおけるデータ収集に用いられる前記部分を選択することをさらに含む、実施態様１５に記載の方法。
（実施態様１７）前記関心特徴は、前記試料の表面上に存在する粒子又は他の分離領域である、実施態様１５又は１６に記載の方法。
（実施態様１８）前記第１のサーベイからの前記分析データを用いることは、前記選択された部分の各々から前記付加的な分析データを収集する最適な順序を生成することを含む、実施態様１〜１７に記載の方法。
（実施態様１９）前記最適な順序は、前記関心特徴のより小さい割合を含む部分から前記付加的な分析データを収集する前に、前記関心特徴のより大きい割合を含む部分から前記付加的な分析データを収集するように生成される、実施態様１５に従属するときの実施態様１８に記載の方法。
（実施態様２０）前記選択された部分の合計面積は、前記関心領域の面積を下回り、
前記第２のサーベイは、前記選択された部分のみから前記付加的な分析データを収集することを含む、実施態様１〜１９に記載の方法。
（実施態様２１）前記第１のサーベイ及び前記第２のサーベイの各々は、粒子ビームを前記試料に指向させ、その結果、前記データを収集するために前記試料から放出されるＸ線又は電子を検出することを含む、実施態様１〜２０のいずれかに記載の方法。
（実施態様２２）前記粒子ビームは、電子ビーム又はイオンビームである、実施態様２１に記載の方法。
（実施態様２３）前記第１のサーベイ及び前記第２のサーベイの各々においてデータを収集することは、前記試料を表す光学的画像データを収集することを含む、実施態様１〜２２のいずれかに記載の方法。
（実施態様２４）前記第１の条件の組及び前記第２の条件の組は、前記第１のサーベイが、前記第２のサーベイで取得される光学画像よりも、低い倍率及び小さい視野を有する光学画像を取得することを含むように選択される、実施態様２３に記載の方法。
（実施態様２５）前記第１の条件の組及び前記第２の条件の組は、前記第１のサーベイが、前記第２のサーベイで取得される光学画像よりも迅速に光学画像を取得することを含むように選択される、実施態様２３又は２４に記載の方法。
（実施態様２６）前記第１のサーベイからの前記分析データを用いることは、前記分析データから前記試料上の関心特徴を同定することを含み、
前記第１の条件の組及び前記第２の条件の組の各々は、各々のサーベイが終了する終了条件を含み、前記第２の条件の組の終了条件は、付加的な分析データが前記関心特徴の所定の画分から収集されたときに、前記第２のサーベイを終了するように決定される、実施態様１〜２５のいずれかに記載の方法。
（実施態様２７）前記第１の条件の組の終了条件は、全関心領域から分析データが収集された後に、前記第１のサーベイが終了するというものであり、前記第１の条件の組における滞留時間、倍率及び分解能は、前記第２の条件の組と同じである、実施態様２６に記載の方法。
（実施態様２８）前記第１のサーベイ及び前記第２のサーベイの各々が自動化されており、前記方法は、前記第１のサーベイの後及び前記第２のサーベイの前に実施される決定ステップをさらに含み、前記決定ステップの結果が、前記第２のサーベイにおけるデータ収集に用いられる前記部分の選択、及び、それら部分が用いられる順序の決定に用いられる、実施態様１〜２７のいずれかに記載の方法。
（実施態様２９）前記決定ステップは自動化されている、実施態様２８に記載の方法。
（実施態様３０）前記決定ステップは、ユーザにより行われる動作を含む、実施態様２８に記載の方法。
（実施態様３１）前記方法は、顕微鏡における試料の自動分析のためのものである、実施態様１〜２９のいずれかに記載の方法。
（実施態様３２）顕微鏡における試料の分析のための装置であって、前記装置は、
ステージ位置決めのためのプログラム可能な制御装置を含み、
前記装置は、前記試料の表面上の関心領域から収集されたデータを記録及び処理するように構成されており、
前記装置は、
第１の条件の組を用いて前記試料の表面上の関心領域から分析データを収集する第１のサーベイと、
前記第１の条件の組とは異なる第２の条件の組を用いて、前記試料の表面上の関心領域の選択された部分から付加的な分析データを収集する第２のサーベイと、
を含む分析を実施するように構成され、
前記第１のサーベイからの前記分析データを用いて、前記第２のサーベイにおけるデータ収集に用いられる前記部分が選択され、それら部分が用いられる順序が決定される、装置。
（実施態様３３）前記第１の条件の組及び前記第１のサーベイ中に収集されるデータは、前記試料上のエリアを前記第２の条件の組の場合よりも迅速にカバーするように選択される、実施態様３２に記載の装置。
（実施態様３４）前記装置は、前記分析データを収集するための第１の検出器を含む顕微鏡を含む、実施態様３２又は３３に記載の装置。
（実施態様３５）前記装置は、前記付加的な分析データを収集するための第２の検出器を含む顕微鏡を含む、実施態様３２〜３４のいずれかに記載の装置。
（実施態様３６）前記装置は、前記試料上に粒子ビームを指向させるためのデバイスと、粒子ビームの位置決めのためのプログラム可能な制御装置とを含む、実施態様３２〜３５のいずれかに記載の装置。
（実施態様３７）前記第１及び第２の検出器の一方又は両方は、前記データを収集するために、前記粒子ビームを前記試料に指向させた結果として生じる、前記試料から放出されるＸ線又は電子を検出するように構成される、実施態様３４〜３６に記載の装置。
（実施態様３８）前記第１及び第２の検出器の一方又は両方は、前記試料を表す光学画像データを収集するように構成された光学イメージセンサを含む、実施態様３４〜３６、又は実施態様３７に記載の装置。
（実施態様３９）前記試料の表面上の関心領域を表すデータは、電子信号データ及び／又はＸ線信号データを含む、実施態様３２〜３８のいずれかに記載の装置。
（実施態様４０）前記第２のサーベイの間、決定された前記順序で付加的な分析データを収集するために検出器の視野内に前記試料の表面上の関心領域の前記選択された部分を位置決めするように構成された、前記試料を支持するための移動可能なステージを含む、実施態様３２〜３９のいずれかに記載の装置。
【国際調査報告】
2019522180.tif 000012
2019522180.tif 000013
2019522180.tif 000014
2019522180.tif 000015
2019522180.tif 000016